(57)【特許請求の範囲】
【請求項１】
撮影レンズと、
絞りと、
上記撮影レンズの被写体像を電気信号に変換するイメージセンサと、
上記イメージセンサを制御して画像データを取込むイメージセンサ駆動回路と、
上記画像データを表示するモニタと、
上記絞りの絞り値を設定する設定手段と、
被写界深度を確認するために操作するプレビュースイッチと、
上記プレビュースイッチが操作されると上記絞りが開放状態において取込まれた画像データと上記設定手段が設定した絞り値において取込まれた画像データとを合わせて上記モニタへ表示するモニタ制御手段と、
を有することを特徴とするカメラ。
【請求項２】
撮影レンズと、
絞りと、
上記撮影レンズの被写体像を電気信号に変換するイメージセンサと、
上記イメージセンサを制御して画像データを取込むイメージセンサ駆動回路と、
上記画像データを表示するモニタと、
上記絞りの絞り値を設定する設定手段と、
被写界深度を確認するために操作するプレビュースイッチと、
上記絞りが開放の状態において画像データの取込みと該画像データの上記モニタへの表示を繰り返すことで上記モニタの表示を更新し、上記プレビュースイッチが操作されると上記設定手段が設定した絞り値において取込まれた画像データを上記モニタへ表示するモニタ制御手段と、
を有することを特徴とするカメラ。
【請求項３】
撮影レンズと、
絞りと、
上記撮影レンズの被写体像を電気信号に変換するイメージセンサと、
上記イメージセンサを制御して画像データを取込むイメージセンサ駆動回路と、
上記画像データを記憶する画像メモリと、
上記画像データを表示するモニタと、
上記絞りの絞り値を設定する設定手段と、
被写界深度を確認するために操作するプレビュースイッチと、
上記プレビュースイッチが操作されると上記画像メモリに記憶された上記絞りが開放状態において取込まれた画像データと上記設定手段が設定した絞り値において取込まれた画像データとを合わせて上記モニタへ表示するモニタ制御手段と、
を有することを特徴とするカメラ。
【請求項４】
撮影レンズと、
絞りと、
上記撮影レンズの被写体像を電気信号に変換するイメージセンサと、
上記イメージセンサを制御して画像データを取込むイメージセンサ駆動回路と、
上記画像データを記憶する画像メモリと、
上記画像データを表示するモニタと、
上記絞りの絞り値を設定する設定手段と、
被写界深度を確認するために操作するプレビュースイッチと、
上記絞りが開放の状態において画像データの取込みと該画像データの上記モニタへの表示を繰り返すことで上記モニタの表示を更新し、上記プレビュースイッチが操作されると上記画像メモリに記憶された上記設定手段が設定した絞り値において取込まれた画像データを上記モニタへ表示するモニタ制御手段と、
を有することを特徴とするカメラ。
【請求項５】
上記設定手段は手動操作されるスイッチであることを特徴とする請求項１乃至４に記載のカメラ。
【発明の詳細な説明】
【０００１】
【発明の属する技術分野】
本発明は、撮影された画像をカメラ本体に設けられたＬＣＤ等によるモニタに表示する際の表示態様に特徴を有するカメラに関する。
【０００２】
【従来の技術】
今日、銀塩フィルムを用いた撮影と、ＣＣＤ等の撮像素子を用いた撮影を共に可能ならしめ、両者を使い分けることが可能な技術が開発されている。
例えば、特開平１０−２０３９２号公報では、銀塩フィルムによる撮影とイメージセンサによる電子的撮影が可能であり、撮影された画像をモニタ上に表示する技術が開示されている。特に、この技術では、撮影される被写体と背景のボケ具合が確認できるように表示が行われる。
【０００３】
すなわち、上記技術では、主要被写体と背景の画像を分離して、背景の画像にローパスフィルタ処理を行うことによって、等価的に撮影レンズの絞りによる効果、即ち被写体深度の変化を確認できるようにしている。
【０００４】
【発明が解決しようとする課題】
しかしながら、主要被写体と背景を自動的に分離することは技術的に難しく、ユーザが手動で被写体を選択する方法を採用する事も考えられるが、煩雑な操作が必要となり、実用的ではない。また、背景にローパスフィルタ処理を行う場合においても、背景に存在する物体の奥行き方向の分布が判らずに処理を施すと、実際の絞りの効果を正確に示すことはできない。
【０００５】
本発明は、上記問題に鑑みてなされたもので、その目的とするところは、特殊な画像処理技術を用いることなく、撮影レンズの絞りによる被写界深度の変化を正確に確認できるカメラを提供することにある。
【０００６】
【課題を解決するための手段】
上記目的を達成するために、本発明の第１の態様では、撮影レンズと、絞りと、上記撮影レンズの被写体像を電気信号に変換するイメージセンサと、上記イメージセンサを制御して画像データを取込むイメージセンサ駆動回路と、上記画像データを表示するモニタと、  上記絞りの絞り値を設定する設定手段と、被写界深度を確認するために操作するプレビュースイッチと、上記プレビュースイッチが操作されると上記絞りが開放状態において取込まれた画像データと上記設定手段が設定した絞り値において取込まれた画像データとを合わせて上記モニタへ表示するモニタ制御手段と、を有することを特徴とするカメラが提供される。
本発明の第２の態様では、撮影レンズと、絞りと、上記撮影レンズの被写体像を電気信号に変換するイメージセンサと、上記イメージセンサを制御して画像データを取込むイメージセンサ駆動回路と、上記画像データを表示するモニタと、上記絞りの絞り値を設定する設定手段と、被写界深度を確認するために操作するプレビュースイッチと、上記絞りが開放の状態において画像データの取込みと該画像データの上記モニタへの表示を繰り返すことで上記モニタの表示を更新し、上記プレビュースイッチが操作されると上記設定手段が設定した絞り値において取込まれた画像データを上記モニタへ表示するモニタ制御手段と、を有することを特徴とするカメラが提供される。
本発明の第３の態様では、撮影レンズと、絞りと、上記撮影レンズの被写体像を電気信号に変換するイメージセンサと、上記イメージセンサを制御して画像データを取込むイメージセンサ駆動回路と、上記画像データを記憶する画像メモリと、上記画像データを表示するモニタと、上記絞りの絞り値を設定する設定手段と、被写界深度を確認するために操作するプレビュースイッチと、上記プレビュースイッチが操作されると上記画像メモリに記憶された上記絞りが開放状態において取込まれた画像データと上記設定手段が設定した絞り値において取込まれた画像データとを合わせて上記モニタへ表示するモニタ制御手段と、を有することを特徴とするカメラが提供される。
本発明の第４の態様では、撮影レンズと、絞りと、上記撮影レンズの被写体像を電気信号に変換するイメージセンサと、上記イメージセンサを制御して画像データを取込むイメージセンサ駆動回路と、上記画像データを記憶する画像メモリと、上記画像データを表示するモニタと、上記絞りの絞り値を設定する設定手段と、被写界深度を確認するために操作するプレビュースイッチと、上記絞りが開放の状態において画像データの取込みと該画像データの上記モニタへの表示を繰り返すことで上記モニタの表示を更新し、上記プレビュースイッチが操作されると上記画像メモリに記憶された上記設定手段が設定した絞り値において取込まれた画像データを上記モニタへ表示するモニタ制御手段と、を有することを特徴とするカメラが提供される。
本発明の第５の態様では、上記第１乃至第４の態様において、上記設定手段は手動操作されるスイッチであることを特徴とするカメラが提供される。
【００１２】
【発明の実施の形態】
以下、図面を参照して、本発明の実施の形態について説明する。
図１は本発明の一実施の形態に係るカメラの構成を示すブロック図である。
この図１に示されるように、被写体光の光路上には、レンズ駆動機構１８により駆動される撮影レンズ２、絞り駆動機構１７により駆動される絞り３、クイックリターンミラー４が図示の如く配置されており、当該クイックリターンミラー４による反射光の光路上には、イメージセンサ５が配置されている。
【００１３】
上記クイックリターンミラー４には、ミラー駆動機構１４が接続され、上記イメージセンサ５には、イメージセンサ駆動回路６を介して画像処理回路７が接続されている。この画像処理回路７は、画像メモリ８と通信自在に接続され、液晶モニタ駆動回路９を介して液晶モニタ１０にも接続されている。
【００１４】
上記クイックリターンミラー４の後方には、シャッタ駆動機構１６により駆動されるフォーカルプレーンシャッタ１１、フィルム駆動機構１３により給送されるフィルム１２が図示の如く配置されている。また、上記クイックリターンミラー４の下方には、ＡＦセンサ１５が配置されている。
【００１５】
さらに、全体の制御を司るマイクロコンピュータ（以下、単にマイコンと称する）１には、上記レンズ駆動機構１８、上記絞り駆動機構１７、上記ＡＦセンサ１５、測光センサ１９、上記シャッタ駆動機構１６、上記フィルム駆動機構１３、上記ミラー駆動機構１４、上記画像処理回路７、表示回路２０、各種スイッチ２１乃至３０が図示の如く接続されている。
【００１６】
このような構成において、上記マイコン１は、上記レンズ駆動機構１８を制御することにより撮影レンズ２を駆動し、被写体像をフィルム１２面上又はイメージセンサ５上に結像する。さらに、マイコン１は、ユーザによる絞りＵＰＳＷ２１又は絞りＤＯＷＮＳＷ２２の操作により設定された絞り値に基づいて、絞り駆動機構１７を制御し、上記絞り３を上記絞り値に駆動する。
【００１７】
上記クイックリターンミラー４は、下げられた状態において、撮影レンズ２の光束をイメージセンサ５とＡＦセンサ１５へと導く。ＡＦセンサ１５は、フィルム面及びイメージセンサ５と撮影レンズ２の被写体像のズレを検出する為のものであり、ＣＣＤ等の固体撮像素子である。クイックリターンミラー４が跳ね上げられた状態になると、撮影レンズ２の光束はフィルム面へと導かれる。
【００１８】
上記フィルム面近傍には、フォーカルプレーンシャッタ１１が配置され、マイコン１はシャッタ駆動機構１６を制御することで、所望のシャッタ秒時でフィルム１２の露光を行わしめる。フィルム駆動機構１３は、フィルム１２の巻上げと巻戻し動作を行うための機構である。更に、測光センサ１９は、被写体の輝度を測定するためのセンサである。そして、上記表示回路２０は、カメラの各種動作状態を表示する為のものであり、当該表示回路２０によって、例えば露出モード、シャッタ秒時、絞り値等が表示される。
【００１９】
上記画像処理回路７は、マイコン１からの指令に基づきイメージセンサ駆動回路６を駆動制御する。イメージセンサ駆動回路６は、イメージセンサ５を駆動する際に必要なタイミングパルス発生回路や、被写体像をデジタルデータに変換するためのＡ／Ｄコンバータ等が含まれている。
【００２０】
この画像処理回路７は、イメージセンサ駆動回路６から出力される画像データを画像メモリ８に記憶する。この画像データは、必要に応じて所定のフォーマットヘ変換されて画像メモリ８に記憶される。画像メモリ８としては、ハードディスクやフラッシュメモリ等を採用することができる。上記画像データは、画像処理回路７を介して液晶モニタ駆動回路９に出力され、当該液晶モニタ駆動回路９は画像データを液晶モニタ１０上に表示する。
【００２１】
ここで、上記マイコン１に接続される各種ＳＷ２１乃至３０について詳細に説明する。絞りＵＰＳＷ２１と絞りＤＯＷＮＳＷ２２は、絞りの設定値を変更する際に操作されるスイッチである。絞りＵＰＳＷ２１を操作することで、絞り値は開放側へ変更される。絞りＤＯＷＮＳＷ２２を操作することで、絞り値は、絞りを絞り込む方向に変更される。プレビューＳＷ２３は、設定した絞り値により被写界深度がどのようなものになるか確認する際に操作されるスイッチである。プレビューＳＷ２３は、２段構造のスイッチであって、ユーザが半押しすると第１のスイッチ（プレビュー１ｓｔＳＷ）がＯＮし、更にユーザが全押しすると第２のスイッチ（プレビュー２ｎｄＳＷ）もＯＮする構成となっている。
【００２２】
レリーズＳＷ２６は、フィルム１２への露光とイメージセンサ５による撮影を実行する際にユーザが操作するスイッチである。レリーズＳＷ２６は、２段構造のスイッチであって、ユーザが半押しすると第１のスイッチ（１ＲＳＷ２７）がＯＮし、さらにユーザが全押しすると第２のスイッチ（２ＲＳＷ２８）もＯＮする構成となっている。パワーＳＷ２９は、電源を制御するスイッチであり、スイッチがＯＮしている時、カメラは動作可能である。表示選択ＳＷ３０は、プレビュー表示を行う時の表示形態を選択するためのスイッチである。
【００２３】
以下、図２のフローチャートを参照して、本発明の一実施の形態に係るカメラのマイコン１のメインルーチンを詳細に説明する。
パワーＳＷ２９がＯＮされてカメラの各部に電力が供給されると、マイコン１は動作を開始し、先ず、システムの初期化を行う。ここでは、マイコン１の不図示のＩ／Ｏポートの初期化、メモリの初期化等を行う（ステップＳ１）。続いて、表示回路２０にカメラの動作状態を示すデータを送信する。この送信動作は、周期的に実行されるので、表示回路２０の表示部には、常に新しいカメラの動作状態が表示されることになる（ステップＳ１０１）。
【００２４】
続いて、絞りＵＰＳＷ２１の状態を検出する。ここで、この絞りＵＰＳＷ２１が操作され、ＯＮされたことが検出されると、ステップＳ１０３に移行し、マイコン１は絞り３の設定値を１段上げ、表示を変更するために上記ステップＳ１０１に戻る。一方、絞りＵＰスイッチ２１がＯＦＦならば、絞り３の設定値を変更することなく、ステップＳ１０４へ移行する（ステップＳ１０２）。
【００２５】
次いで、絞りＤＯＷＮＳＷ２２の状態を検出する。ここで、この絞りＤＯＷＮＳＷ２２が操作され、ＯＮされたことが検出されると、ステップＳ１０５へ移行し、絞り３の設定値を１段下げ、ステップＳ１０１に移行する。一方、絞りＤＯＷＮＳＷ２２がＯＦＦの場合は、絞り３の設定値を変更することなく、ステップＳ１０６へ移行する（ステップＳ１０４）。
【００２６】
続いて、マイコン１は、表示選択ＳＷ３０の状態を検出する（ステップＳ１０６）。ここで、表示選択ＳＷ３０が操作され、ＯＮされたことが検出されると、表示状態カウンタをインクリメント（＋１）する（ステップＳ１０７）。続いて、カウンタの値が“４”であるか否かを判定する（ステップＳ１０８）。ここで、上記カウンタの値が“４”でない場合はステップＳ１１０へ移行する。一方、上記カウンタの値が、“４”である場合はステップＳ１０９へと移行し、カウンタの値を“１”に設定した後、ステップＳ１１０へと移行する。
【００２７】
上記ステップＳ１０６〜Ｓ１０９の作用によって、表示選択ＳＷ３０が操作される毎に表示形態カウンタがカウントＵＰし、「１→２→３→４→…」のようにカウントの値が変化する。各表示カウンタの値にプレビュー表示の表示状態の１つが対応している。これについては、後述する。
【００２８】
続いて、プレビュー１ｓｔＳＷ２４の状態を検出する（ステップＳ１１０）。ここで、プレビュー１ｓｔＳＷ２４が操作され、ＯＮされたことが検出されると、サブルーチン「プレビュー表示」が実行される（ステップＳ１１１）。このサブルーチン「プレビュー表示」では、設定した絞り値で絞り３を設定した際の画像データが液晶モニタ１０上に表示される。詳細は後述する。
【００２９】
上記プレビュー１ｓｔＳＷ２４がＯＦＦしているときは、ステップＳ１１２へと移行する。このステップＳ１１２にて、マイコン１は、画像処理回路７に対して画像データの取り込みを指示する。すると、画像処理回路７は、イメージセンサ駆動回路６を制御して、イメージセンサ５の積分動作を実行する。さらに、イメージセンサ５の出力をＡ／Ｄ変換して、画像データとして取り込む。画像データは、画像メモリ８の所定のエリアに記憶される（ステップＳ１１２）。
【００３０】
この画像メモリ８のメモリマップの一例は図３に示される通りである、上記ステップＳ１１２で取り込まれた画像データは、絞りが開放時のデータである。従って、図中、※０で示す領域に記憶されることになる。
【００３１】
続いて、マイコン１は、画像処理回路７に対して画像データの表示を指示する（ステップＳ１１３）。すると、画像処理回路７は、画像メモリ８の図３の※０に記憶された絞り開放時の画像データを液晶モニタ駆動回路９へと出力する。この動作により、液晶モニタ１０には絞り開放時の画像が表示される。
【００３２】
次いで、１ＲＳＷ２７の状態を検出する（ステップＳ１１４）。この１ＲＳＷ２７が操作され、ＯＮされたことが検出されたときはステップＳ１１６に移行し、ＯＦＦの時はステップＳ１１５へ移行する。このステップＳ１１５に移行した時はパワーＳＷ２９の状態を検出する。パワーＳＷ２９がＯＦＦになった時は、システムの動作は停止されるため、マイコン１は動作を止める。パワースイッチ２９がＯＮならば、動作を継続する為、上記ステップＳ１０１に戻る。
【００３３】
上記ステップＳ１１４からステップＳ１１６に移行したときは、測光センサ１９から被写体の輝度情報の入力を受ける。この輝度情報とフィルム感度と設定された絞り値（先にステップＳ１０２〜Ｓ１０５で設定された値）に基づいてシャッタ１１の秒時が決定される（ステップＳ１１６）。
【００３４】
続いて、ＡＦセンサ１５より焦点のズレ量に関する情報を入力する。この情報に基づきレンズ駆動機構１８を制御して、被写体の像をイメージセンサ５上とフィルム１２上へ結像させる（ステップＳ１１７）。次いで、設定された絞り値に基づいて絞り駆動機構１７を制御する。撮影レンズ２の光束が絞り３で徐光されるとオートフォーカスの精度が低下するので、この絞り３の駆動は、焦点調整が終了するまで行わないこととしている（ステップＳ１１８）。
【００３５】
そして、上記ステップＳ１１２と同様にイメージセンサ５から画像データを取り込む（ステップＳ１１９）。この画像データは、画像メモリ８の所定領域（図３の領域※１に相当）に記憶される。
【００３６】
次いで、２ＲＳＷ２８の状態を検出する。レリーズＳＷ２６が全押しされると２ＲＳＷ２８もＯＮする。この時は、ステップＳ１２０からステップＳ１２１へと移行する。半押し状態ならば、２ＲＳＷ２８はＯＦＦしているので、ステップＳ１２０からステップＳ１２７へと移行する（ステップＳ１２０）。そして、ステップＳ１２７では、絞り駆動機構１７を制御して絞り開放位置へ戻す。
【００３７】
以上の説明から明らかなように、レリーズＳＷ２６を半押しした時は、ステップＳ１１２，Ｓ１１８，Ｓ１１９，Ｓ１２７の動作ステップの作用により、絞りが開放の時の画像データとユーザが設定した絞り値における画像データが交互に時分割に取り込まれることになる。これらのデータは、プレビュー表示に利用するため、画像メモリ８の所定領域に記憶される。２つの画像データをレリーズＳＷ２６の状態に関わりなく常に交互に取り込むことも可能ではあるが、その時、注意すべきは絞り３の耐久性である。プレビュー表示の為だけに絞り３を駆動すると、撮影動作を行う事なく絞り３が劣化してしまうことになる。
【００３８】
但し、液晶等を用いて機械的部材を全く使用することなく構成された絞り３が使用できる時は、この限りではない。本実施の形態で示されるように、１ＲＳＷ２７のＯＮ中のみだけプレビュー表示に必要な画像データの取り込みを行なうようにした理由の１つは、絞り３を破壊しないようにする為である。
【００３９】
もう１つの理由は、画像データの取り込みに要する時間である。設定された絞り値が大きく被写体が暗い時は、イメージセンサ５の積分時間が長くなり、画像データの取り込みに時間を要してしまう。従って、このようなシーンでは、データの取り込みは、なるべく避けたい。
【００４０】
上記２ＲＳＷ２８がＯＮならば、ステップＳ１２０からＳ１２１へと移行し、マイコン１は、ミラー駆動機構１４を制御する。そして、クイックリターンミラー４は、跳ね上げられた状態となる（ステップＳ１２１）。次いで、マイコン１は、シャッタ駆動機構１６を制御して、先にステップＳ１１６で決定されたシャッタ秒時でフィルムを露光する（ステップＳ１２２）。続いて、クイックリターンミラー４を下げた状態に駆動し（ステップＳ１２３）、絞り３を開放位置に戻す（ステップＳ１２４）。
【００４１】
続いて、フィルム駆動機構１３を制御してフィルム１２を１コマ分巻上げる（ステップＳ１２５）。そして、画像処理回路７に対して画像ファイルの作成を指令する（ステップＳ１２６）。すると、画像処理回路７は、画像メモリ８の領域※１に記憶された、先にステップＳ１１９で取り込まれた画像データを読み出し、所定の画像ファイル（例えば、ジェーペグ；ＪＰＥＧ）に変換する。この変換された画像ファイルは、フィルム１２のコマ数と対応した画像メモリ８の所定の記憶領域に記憶される。
【００４２】
以下、図４のフローチャートを参照して、上記サブルーチン「プレビュー表示」の動作を詳細に説明する。尚、ここでは、図５に示される液晶モニタ１０の各種表示例を適宜参照しつつ説明する。
【００４３】
このルーチンに入ると、マイコン１は、画像処理回路７に対して、画像メモリ８の所定領域（図３の領域※１に相当）より画像データの読み出しを指示する（ステップＳ２００）。次いで、マイコン１は、正しく画像データが入力されているか検査する（ステップＳ２０１）。既に説明したように、１ＲＳＷ２７が操作されないと、設定絞り値における画像データの取り込みは行われない。
【００４４】
１ＲＳＷ２７を操作する前にプレビューＳＷ２３を操作した時は、プレビューの表示はできない。従って、プレビュー表示が可能ならばステップＳ２０１へ移行し、不可能ならばステップＳ２０２へ移行する。続くこのステップＳ２０２では、警告表示を行い、メインルーチンにリターンする。
【００４５】
ステップＳ２０１では、マイコン１は、表示形態カウンタの値が“１”であるか否かを判定する。ここで、表示形態カウンタの値が“１”ならば、先にステップＳ２００で読み出した画像データのみで液晶モニタ１０上へ表示を行うように画像処理回路７へ指示する（ステップＳ２０２）。
【００４６】
このステップＳ２０２の動作に対応したモニタ表示例は、図５（ａ）に示される。表示形態カウンタの“１”は、モニタ上全面に設定絞り値による画像データを表示することを示している。この表示形態は、一眼レフカメラにおけるプレビュー動作に対応したものである。
【００４７】
一方、表示形態カウンタが“１”でない場合は、画像処理回路７に対して画像メモリ８の所定領域（図３の領域※０に相当）より画像データの読み出しを指示し（ステップＳ２０３）、プレビュー２ｎｄＳＷ２５の状態を検出する（ステップＳ２０４）。ここで、プレビュー２ｎｄＳＷ２５がＯＦＦならばステップＳ２０５へ移行し、ＯＮならばステップＳ２１２へ移行する。
【００４８】
ステップＳ２０５に移行すると、表示形態カウンタが“２”であるか否かを判定する。ここで、表示形態カウンタが“２”あるならば、画像処理回路７に対して先にステップＳ２００とＳ２０３で読み出した画像データの合成を指示する（ステップ２０６）。この合成された画像データは、ステップＳ２１１において液晶モニタ１０上に表示される。
【００４９】
このステップＳ２０６で合成された画像データに対応する表示は、図５（ｂ）に示される通りである。図中、太線で囲まれた表示（※２）が設定された絞り値で取り込まれた画像データに対応する。細線で囲まれた表示（※３）が絞り３が開放状態で取り込まれた画像データに対応している。
【００５０】
上記表示形態カウンタが“２”の状態で、プレビューＳＷ２３を全押しすると、プレビュー２ｎｄＳＷ２５がＯＮし、ステップＳ２１２からＳ２１３へと移行する。このステップＳ２１３では、図５（ｃ）に対応する画像データの合成が行われる。そして、ステップＳ２１８でこの合成画像が液晶モニタ１０上へ表示されることになる。従って、ユーザーがプレビューＳＷ２３の半押しを行うか、全押しを行うかにより液晶モニタ１０の表示態様、即ち、図５（ｂ）と図５（ｃ）を任意に切り換えることができることとなる。
【００５１】
上記表示形態カウンタが“３”の状態で、プレビューＳＷ２３が半押しされると、図５（ｄ）に対応する画像データが合成され（ステップＳ２０８）、表示される（ステップＳ２１１）。更に、プレビューＳＷ２３を操作して全押しすると、図５（ｅ）に対応する画像データが合成され（ステップＳ２１５）、液晶モニタ１０に表示される（ステップＳ２１８）。
【００５２】
上記表示形態カウンタが“４”の状態で、プレビューＳＷ２３が半押しされると、図５（ｆ）に対応する画像データが合成され（ステップＳ２１０）、液晶モニタ１０に表示される（ステップＳ２１１）。さらに、プレビューＳＷ２３を操作して全押しすると、図５（ｇ）に対応する画像データが合成され（ステップＳ２１７）、液晶モニタ１０に表示される（ステップＳ２１８）。
【００５３】
既に説明したように、表示形態カウンタの値は、表示選択ＳＷ３０の操作により変更できる。従って、ユーザは表示選択ＳＷ３０とプレビューＳＷ２３を適当に操作することで、所望の表示の状態で絞りの効果を確認できる。メインルーチンの構造から明らかなように、プレビューＳＷ２３が操作されている間は、液晶モニタ１０上の表示の更新は禁止され、プレビューのためだけの表示が行われることになる。従って、モニタの表示はロックされることになり、ユーザは落ち着いて絞り効果の確認をすることができる事になり、便利である。プレビューＳＷ２３の操作がない時は、上記ステップＳ１１２とステップＳ１１３の動作が繰り返し実行されることになる。従って、絞り開放状態の画像データの最新のものが液晶モニタ１０上に表示され続ける。これは、モニタ画面を見ながら構図を確認する上で不可欠な動作であり、プレビュー表示中は必要ない動作である。
【００５４】
以上、本発明の実施の形態について説明したが、本発明はこれに限定されることなく、その趣旨を逸脱しない範囲で、種々の改良・変更が可能であることは勿論である。例えば、上記実施の形態では、絞りＵＰＳＷ２１と絞りＤＯＷＮＳＷ２２をユーザが操作することにより絞り値の設定が行われる例を示したが、カメラの撮影モードに応じてマイコン１が自動的に絞り値を設定するように構成することもできる。例えば、マクロ撮影モードが選択された時は、絞り値が自動的にＦＮｏ＝１１に設定されるようにしてもよい。このとき、ユーザがプレビューＳＷ２３を操作すればＦＮｏ＝１１における絞りの効果が確認できる。
【００５５】
【発明の効果】
以上詳述したように、本発明によれば、特殊な画像処理技術を用いることなく、撮影レンズの絞りによる被写界深度の変化を正確に確認できるカメラを提供することができる。
【図面の簡単な説明】
【図１】本発明の一実施の形態に係るカメラの構成を示すブロック図である。
【図２】実施の形態に係るカメラのマイコン１の動作に係るメインルーチンを詳細に説明するフローチャートである。
【図３】画像メモリ８のメモリマップの一例を示す図である。
【図４】サブルーチン「プレビュー表示」の動作を詳細に示すフローチャートである。
【図５】液晶モニタ１０の各種表示例を示す図である。
【符号の説明】
１  マイクロコンピュータ
２  撮影レンズ
３  絞り
４  クイックリターンミラー
５  イメージセンサ
６  イメージセンサ駆動回路
７  画像処理回路
８  画像メモリ
９  液晶モニタ駆動回路
１０  液晶モニタ
１１  シャッタ
１２  フィルム
１３  フィルム駆動機構
１４  ミラー駆動機構
１５  ＡＦセンサ
１６  シャッタ駆動機構
１７  絞り駆動機構
１８  レンズ駆動機構
１９  測光センサ
２０  表示回路
２１  絞りＵＰＳＷ
２２  絞りＤＯＷＮＳＷ
２３  プレビューＳＷ
２４  プレビュー１ｓｔＳＷ
２５  プレビュー２ｎｄＳＷ
２６  レリーズＳＷ
２７  １ＲＳＷ
２８  ２ＲＳＷ
２９  パワーＳＷ
３０  表示選択ＳＷ
【図１】
0004079526.tif 000002
【図２】
0004079526.tif 000003
【図３】
0004079526.tif 000004
【図４】
0004079526.tif 000005
【図５】
0004079526.tif 000006